【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
動物の生体表面に電気的輸送(electrotransport)電流を流す薬物投与デバイス(10)において、
２つの電極(12,14)と、治療薬剤を収納する１つ以上のリザーバ(30,32)であって、前記１つ以上のリザーバ(30,32)が、前記電極(12,14)上に配置され、前記一方の電極(12又は14)から前記他方の電極(14又は12)に流れる前記電気的輸送電流の電気的経路を形成すると、動物の生体表面を介して治療薬剤を放出する１つ以上のリザーバ(30,32)とを有するパッチと、
前記動物の生体表面に出力電圧を印加し、 前記動物の生体表面に前記電気的輸送電流を流すように制御可能な電源(200)と、
所定の間隔で１つ以上の中断を生成し、前記１つ以上の中断を生成したとき、前記制御可能な電源(200)をオフにし、前記電気的輸送電流の現在の値及び目標電気的輸送電流を表す動的な値を判定し、少なくとも前記電気的輸送電流の前記現在の値及び前記目標電気的輸送電流を表す前記動的な値に基づいて、前記制御可能な電源(200)を制御するようにプログラミングされたコントローラ(150)と
を備えるデバイス。
【請求項２】
前記コントローラ(150)は、リニアレギュレータを用いて、前記制御可能な電源(200)を制御する請求項１記載のデバイス。
【請求項３】
前記コントローラ(150)は、スイッチングレギュレータを用いて、前記制御可能な電源(200)を制御する請求項１記載のデバイス。
【請求項４】
前記スイッチングレギュレータは、パルス幅変調（ＰＷＭ）を実行し、前記制御可能な電源(200)は、ＰＷＭ電源である請求項３記載のデバイス。
【請求項５】
前記コントローラ(150)は、
前記コントローラ(150)を用いて、少なくとも前記電気的輸送電流の前記現在の値及び前記目標電気的輸送電流を表す前記動的な値に基づいて、前記ＰＷＭ電源(200)のデューティサイクルを制御するようにプログラミングされている請求項４記載のデバイス。
【請求項６】
前記パッチ及び前記電源(200)は、分離可能である請求項１記載のデバイス。
【請求項７】
前記コントローラ(150)は、
前記デバイス(10)の電源が最小レベルのエネルギを有していることを検出し、
前記電源(200)が前記最小レベルのエネルギを有している場合にのみ、前記動物の生体表面に前記電気的輸送電流を流すように更にプログラミングされている請求項１記載のデバイス。
【請求項８】
前記コントローラ(150)は、第２の所定のプロファイルで前記動物の生体表面に前記電気的輸送電流を流すように再プログラミング可能である請求項１記載のデバイス。
【請求項９】
前記コントローラ(150)は、
前記動物の生体表面の抵抗の変化にかかわらず、前記出力電圧を最大レベルより下に維持するように更にプログラミングされている請求項１記載のデバイス。
【請求項１０】
前記コントローラ(150)は、
潜在的な安全性問題の検出に応じて、前記デバイス(10)を停止し、
前記デバイス(10)が停止したことを示す指示を提供するように更にプログラミングされている請求項１記載のデバイス。
【請求項１１】
前記コントローラ(150)は、
タイマを用いて、所定の間隔で１つ以上の中断を生成するように更にプログラミングされている請求項１記載のデバイス。
【請求項１２】
前記コントローラ(150)は、
前記出力電圧の現在の値を判定し、
目標出力電圧を表す動的な値を判定し、
前記出力電圧の前記現在の値と前記目標出力電圧を表す前記動的な値との間の第１の比較を行い、
前記電気的輸送電流の前記現在の値と前記目標電気的輸送電流を表す前記動的な値との間の第２の比較を行い、
前記第１の比較又は前記第２の比較に基づいて、前記ＰＷＭ電源(200)のデューティサイクルを制御するように更にプログラミングされている請求項４記載のデバイス。
【請求項１３】
前記ＰＷＭ電源(200)のデューティサイクルの制御は、
前記第１の比較に基づいて、前記出力電圧の前記現在の値が、前記目標出力電圧を表す前記動的な値より大きいことを判定し、
電気的輸送電流補正を実行しないで前記ＰＷＭ電源(200)のデューティサイクルを１段階減少させることを更に含む請求項１２記載のデバイス。
【請求項１４】
前記ＰＷＭ電源(200)のデューティサイクルの制御は、
前記第１の比較に基づいて、前記出力電圧の前記現在の値が前記目標出力電圧を表す前記動的な値以下であることを判定し、
前記第２の比較に基づいて、電気的輸送電流補正を実行することを更に含む請求項１２記載のデバイス。
【請求項１５】
前記電気的輸送電流補正の実行は、
前記第２の比較に基づいて、前記電気的輸送電流の前記現在の値が前記目標電気的輸送電流を表す前記動的な値より大きいことを判定し、
前記ＰＷＭ電源(200)のデューティサイクルを１段階減少させることを含む請求項１４記載のデバイス。
【請求項１６】
前記電気的輸送電流補正の実行は、
前記第２の比較に基づいて、前記電気的輸送電流の前記現在の値が前記目標電気的輸送電流を表す前記動的な値と等しいことを判定し、
前記ＰＷＭ電源(200)のデューティサイクルを現在の段階で維持することを含む請求項１４記載のデバイス。
【請求項１７】
前記電気的輸送電流補正の実行は、
前記第２の比較に基づいて、前記電気的輸送電流の前記現在の値が前記目標電気的輸送電流を表す前記動的な値より小さいことを判定し、
前記ＰＷＭ電源(200)のデューティサイクルを１段階増加させることを含む請求項１４記載のデバイス。
【請求項１８】
前記デバイス(10)は、使い捨て用に構成され、前記コントローラ(150)は、前記治療薬剤の投与が終了すると、前記制御可能な電源(200)を徐々に空にするようにプログラミングされる請求項１記載のデバイス。
【請求項１９】
前記治療薬剤は、コハク酸スマトリプタン(sumatriptan succinate)を含む請求項１記載のデバイス。
【請求項２０】
前記目標電気的輸送電流を表す前記動的な値は、少なくとも前記目標電気的輸送電流及び電源(100)の動作中に変化する前記電源(100)の動作特性に基づいて判定される請求項１記載のデバイス。
【請求項２１】
前記電源(100)の動作特性は前記電源(100)の可変出力電圧である請求項２０記載のデバイス。
【請求項２２】
前記目標電気的輸送電流を表す前記動的な値は、少なくとも前記目標電気的輸送電流及び前記電源(100)の動作中に変化するアナログデジタル変換器における基準電圧に基づいて判定される請求項２０記載のデバイス。
【請求項２３】
コントローラ(150)を用いて、動物の生体表面に電気的輸送電流を流し、治療薬剤の少なくとも一部を投与するように処理ユニットが実行可能な命令を保存するコンピュータが読取可能な１つ以上の媒体において、
制御可能な電源(200)を用いて、動物の生体表面に前記電気的輸送電流を流し、
タイマを用いて、所定の間隔で１つ以上の中断を生成し、
前記１つ以上の中断を生成したとき、前記コントローラ(150)を用いて、前記制御可能な電源(200)をオフにし、
前記電気的輸送電流の現在の値を判定し、
目標電気的輸送電流を表す動的な値を判定し、
前記コントローラ(150)を用いて、少なくとも前記電気的輸送電流の前記現在の値及び前記目標電気的輸送電流を表す前記動的な値に基づいて、前記制御可能な電源(200)を制御するための命令を格納するコンピュータが読取可能な媒体。